(57)【特許請求の範囲】
【請求項１】
制御値の増減を反映して送信電力が増減するように制御する携帯電話機であって、
閾値の指定をユーザから受け付ける受付手段と、
受け付けられた閾値を記憶する閾値記憶手段と、
通話状態において基地局が携帯電話機の送信電力の大きさを指示するために送信する制御値指示情報を受信する受信手段と、
前記受信手段により受信された制御値指示情報を基に第１制御値を特定する特定手段と、
前記第１制御値と前記閾値記憶手段に記憶されている閾値とを比較する比較手段と、
比較の結果、前記第１制御値が前記閾値以下である場合に前記第１制御値を前記制御値として用いることに決定し、前記第１制御値が前記閾値より大きい場合に前記閾値を前記制御値として用いることに決定する決定手段と、
比較の結果、前記第１制御値が前記閾値より大きい場合に、通信不能となる恐れがある旨をユーザに通知する通信不能通知手段と
を備えることを特徴とする携帯電話機。
【請求項２】
制御値の増減を反映して送信電力を増減するように制御する携帯電話機であって、
閾値の指定をユーザから受け付ける受付手段と、
受け付けられた閾値を記憶する閾値記憶手段と、
受信待受状態において基地局から送信される電磁波を受け付けて、当該電磁波の受信電力値を検出する検出手段と、
前記検出手段により検出された前記電磁波の受信電力値を基に第１制御値を特定する特定手段と、
前記第１制御値と前記閾値記憶手段に記憶されている閾値とを比較する比較手段と、
比較の結果、前記第１制御値が前記閾値以下である場合に前記第１制御値を前記制御値として用いることに決定し、前記第１制御値が前記閾値より大きい場合に前記閾値を前記制御値として用いることに決定する決定手段と、
比較の結果、前記第１制御値が前記閾値より大きい場合に、通信不能となる恐れがある旨をユーザに通知する通信不能通知手段と
を備えることを特徴とする携帯電話機。
【請求項３】
送信電力が最大となるような制御値が決定された場合に、送信電波が近傍に存在する電子機器に悪影響を及ぼす可能性がある旨をユーザに通知する悪影響通知手段を備えることを特徴とする請求項１又は請求項２に記載の携帯電話機。
【請求項４】
ＣＰＵを備え、制御値の増減を反映して送信電力が増減するように制御する携帯電話機に、送信電力決定処理を行わせる制御プログラムであって、
前記送信電力決定処理は、
閾値の指定をユーザから受け付ける受付ステップと、
通話状態において基地局が携帯電話機の送信電力の大きさを指示するために送信する制御値指示情報を受信する受信ステップと、
受信された制御値指示情報を基に第１制御値を特定する特定ステップと、
前記第１制御値と受け付けた閾値とを比較する比較ステップと、
比較の結果、前記第１制御値が前記閾値以下である場合に前記第１制御値を前記制御値として用いることに決定し、前記第１制御値が前記閾値より大きい場合に前記閾値を前記制御値として用いることに決定する決定ステップと、
比較の結果、前記第１制御値が前記閾値より大きい場合に、通信不能となる恐れがある旨をユーザに通知する通信不能通知ステップと
を含むことを特徴とする制御プログラム。
【請求項５】
ＣＰＵを備え、制御値の増減を反映して送信電力が増減するように制御する携帯電話機に、送信電力決定処理を行わせる制御プログラムであって、
閾値の指定をユーザから受け付ける受付ステップと、
受信待受状態において基地局から送信される電磁波を受け付けて、当該電磁波の受信電力値を検出する検出ステップと、
検出された前記電磁波の受信電力値を基に第１制御値を特定する特定ステップと、
前記第１制御値と受け付けた閾値とを比較する比較ステップと、
比較の結果、前記第１制御値が前記閾値以下である場合に前記第１制御値を前記制御値として用いることに決定し、前記第１制御値が前記閾値より大きい場合に前記閾値を前記制御値として用いることに決定する決定ステップと、
比較の結果、前記第１制御値が前記閾値より大きい場合に、通信不能となる恐れがある旨をユーザに通知する通信不能通知ステップと
を含むことを特徴とする制御プログラム。
【発明の詳細な説明】
【０００１】
【発明の属する技術分野】
本発明は携帯電話機に関し、特に携帯電話機から送出される送信電波の強さを抑える技術に関する。
【０００２】
【従来の技術】
昨今、普及が進む携帯電話機において送出される送信電波（電磁波）は、携帯電話機に電源が入っている限り、通話時及び待受時に関わらず送出されている。そして、送信電波の強度は携帯電話機から基地局までの距離や、携帯電話機が存在する周辺環境等に応じて自動的に制御される仕組みになっている。
【０００３】
【発明が解決しようとする課題】
ところで、携帯電話機から送出される強い送信電波が、近傍に存在する電子機器や人体に対して悪影響を与える危険性を懸念する声がある。
そのため、医療用電子機器が多く存在する病院や、電車内等の不特定の人が混み合うような場所においては、携帯電話機の電源を切ることが一般的に勧められているが、ユーザによっては携帯電話機の電源を切り忘れるという問題がある。
【０００４】
本発明は係る問題を鑑みて、ユーザが電源を切らなくても、携帯電話機から送出される送信電波を抑えることを可能とする携帯電話機、及び当該携帯電話機に用いられる制御プログラムを提供することを目的とする。
【０００５】
【課題を解決するための手段】
上記目的を達成するために、本発明に係る携帯電話機は、制御値の増減を反映して送信電力が増減するように制御する携帯電話機であって、閾値の指定をユーザから受け付ける受付手段と、受け付けられた閾値を記憶する閾値記憶手段と、記憶されている閾値以下となるように前記制御値を決定する決定手段とを備えることを特徴とする。
【０００６】
ここで送信電力とは、携帯電話機内部の送信用増幅回路において増幅される電力の大きさである。送出される送信電波の強度は、送信電力の値が大きくなるにつれて強くなる。
本発明に係る携帯電話機は、ユーザから閾値の指定を受け付けて、当該閾値以下となるように制御値を決定するので、ユーザは閾値を指定しておくことで携帯電話機の電源を切らなくても、携帯電話機から送出される送信電波をある程度抑えることができる。
【０００７】
また、制御プログラムは、ＣＰＵを備え、制御値の増減を反映して送信電力が増減するように制御する携帯電話機に、送信電力決定処理を行わせる制御プログラムであって、前記送信電力決定処理は、送信電力制御用の閾値の指定をユーザから受け付ける受付ステップと、受け付けられた閾値以下となるように前記制御値を決定する決定ステップとを含むことを特徴とする。
【０００８】
【発明の実施の形態】
以下、本発明の実施例について、図面を用いて説明する。
＜構成＞
図１は、本発明の実施の形態における移動局１００の機能ブロック図である。移動局１００は、アンテナ部１０１、送信部１０２、受信部１０３、制御部１０４、送信電力決定部１０５、ディスプレイ部１０６、スピーカ部１０７、インターフェース部１０８及び記憶部１０９とを有する。なお、本発明を説明する上で必要のない機能については省略している。
【０００９】
アンテナ部１０１は、送受信用のホイップアンテナであり、受信した電磁波を受信信号として受信部１０３に伝送し、送信部１０２から伝送される送信信号を送信電波として送信する。
受信部１０３は、アンテナ部１０１から伝送された受信信号を増幅し、復調する機能を有する。復調された受信信号は制御部１０４に伝送される。
【００１０】
受信信号には、通話時において基地局から送信されるＴＰＣ（Ｔｒａｎｓｍｉｓｓｉｏｎ  Ｐｏｗｅｒ  Ｃｏｎｔｒｏｌ）信号がある。ＴＰＣ信号は、基地局が携帯電話機の送信電力の大きさを指示するための信号である。
基地局は、管轄セル内の携帯電話機から送出される送信電波を絶えず受信しているが、当該携帯電話機が通話状態となり通信チャンネルが確立された際、受信した送信電波の強度を示す受信電力値を検出して、当該受信電力値に基づいて携帯電話機が通信するために必要な送信電力の大きさを指示するＴＰＣ信号を送信する。
【００１１】
前記ＴＰＣ信号による指示は、送信電力を上げる、若しくは下げる、のどちらかの指示であり、受信電力が小さい場合は上げる指示を、受信電力が大きい場合は下げる指示を示すＴＰＣ信号を送信する。
送信部１０２は、制御部１０４から伝送される送信信号を変調し、制御部１０４の指示に応じて所望の送信電力値に増幅する機能を有する。変調増幅された送信信号はアンテナ部１０１に伝送される。
【００１２】
インターフェース部１０８は、ユーザによるテンキーボタン操作等から各種入力情報を受け付ける機能を有し、そのうち特に、送信電力制御用の閾値を受け付ける機能を有する。受け付けた入力情報は制御部１０４に伝送する。
制御部１０４は、携帯電話機としての一般的な処理や制御を行うＣＰＵ（Ｃｅｎｔｒａｌ  Ｐｒｏｃｅｓｓｉｎｇ  Ｕｎｉｔ）及びＤＳＰ（Ｄｉｇｉｔａｌ  Ｓｉｇｎａｌ  Ｐｒｏｃｅｓｓｏｒ）等から成る。
【００１３】
また、制御部１０４はＲＳＳＩ（Ｒｅｃｅｉｖｅｄ  Ｓｉｇｎａｌ  Ｓｔｒｅｎｇｔｈ  Ｉｎｄｉｃａｔｏｒ）回路を有し、待受時において基地局から送信された信号を受信した際、当該ＲＳＳＩ回路にて、受信した信号の受信電力値を検出する機能を有する。
送信電力決定部１０５は、制御部１０４の一機能であり、ユーザから送信電力制御用の閾値を受け付けた場合には、当該閾値以下となるように制御値を決定する機能を有する。
【００１４】
具体的には、通話時において、ユーザから受け付けた閾値と基地局から送信されたＴＰＣ信号の指示により特定される制御値との比較を行い、待受時において、閾値と検出された受信電力値から特定される必要送信電力制御値との比較を行う。必要送信電力制御値とは、受信電力値から求めることができる、基地局に送信電波が到達するために必要な送信電力を出力する制御値である。
【００１５】
各々の比較において閾値以上の制御値が必要な場合、送信電力制御部１０５は、閾値を制御値として決定し、更に、通話送信不能となる恐れがある旨をユーザに通知する機能を有する。
ディスプレイ部１０６は、ＬＣＤ（Ｌｉｑｕｉｄ  Ｃｒｙｓｔａｌ  Ｄｉｓｐｌａｙ）等の表示装置であり、文字、記号、絵等を表示する機能を有する。特に、ユーザから送信電力上限設定を行うための画面表示要求がインターフェース部１０８により受け付けられた場合、送信電力上限設定画面が表示される。
【００１６】
図２は、ディスプレイ部１０６に表示された送信電力上限設定画面である。当画面が表示されたときに、ユーザはテンキーボタンを操作して入力フィールド２０１に数値を入力することで送信電力の上限を示す閾値を設定することができる。本実施の形態では、最小送信電力を−２４ｄＢ、最大を０ｄＢとして１ｄＢステップでの入力を受け付けることができる。
【００１７】
図３は、送信電力が閾値により制限されたときにディスプレイ部１０６に表示される警告画面である。
スピーカ部１０７は、着信音等を出力する機能を有する。また、ユーザから受け付けた閾値では通信ができなくなる可能性がある場合、警告としてスピーカ部１０７から音で通知することも可能である。
【００１８】
記憶部１０９は、不揮発性メモリ等の記憶媒体であり、制御部１０４から伝送されるデータや制御部１０４により実施される各種処理のプログラムを記憶している。そのうち特に、ユーザから受け付けた送信電力制御用の閾値、送信電力決定処理のプログラム、受信電力値と必要送信電力制御値の対応関係を示す制御値テーブルを記憶している。
【００１９】
図５は、記憶部１０９に記憶されている制御値テーブルを示す図である。制御部１０４は、受信電力値３０１を検出した場合、前記制御値テーブルを参照して必要送信電力制御値３０２を特定する。
＜動作＞
ユーザから送信電力の上限を示す閾値が設定された場合になされる、本発明に係る携帯電話機の送信電力決定処理について説明する。
【００２０】
図４は、閾値が設定された場合に送信電力決定部１０５においてなされる送信電力決定処理のフローチャートである。
まず、ユーザから受け付けた送信電力制御用の閾値を記憶部１０９に記憶する（ステップＳ１０１）。
携帯電話機の状態が通話状態の場合（ステップＳ１０２：通話）、基地局から送信されるＴＰＣ信号を受信して（ステップＳ１０３）、当該ＴＰＣ信号から指示された制御値（Ｂ）と、ユーザから受け付けた閾値（Ａ）とを比較する（ステップＳ１０４）。
【００２１】
比較した結果、閾値（Ａ）より指示された制御値（Ｂ）の方が小さい場合（ステップＳ１０５：Ｙｅｓ）、制御値は指示された制御値（Ｂ）に決定される（ステップＳ１０８）。
また、閾値（Ａ）より指示された制御値（Ｂ）の方が大きい場合（ステップＳ１０５：Ｎｏ）、制御値は閾値（Ａ）に決定され（ステップＳ１０６）、通信ができなくなる恐れがある旨をユーザに通知する（ステップＳ１０７）。
【００２２】
ステップＳ１０２において、携帯電話機の状態が待受状態の場合（ステップＳ１０２：待受）、ＲＳＳＩ回路において受信電力値を検出する（ステップＳ１０９）。
検出された受信電力値から記憶部１０９に記憶されている制御値テーブルを参照して必要送信電力制御値（Ｃ）を特定し（ステップＳ１１０）、必要送信電力制御値（Ｃ）と、ユーザから受け付けた閾値（Ａ）とを比較する（ステップＳ１１１）。
【００２３】
比較した結果、閾値（Ａ）より必要送信電力制御値（Ｃ）の方が小さい場合（ステップＳ１１２：Ｙｅｓ）、制御値は必要送信電力制御値（Ｃ）に決定される（ステップＳ１１３）。
また、閾値（Ａ）より必要送信電力制御値（Ｃ）の方が大きい場合（ステップＳ１１２：Ｎｏ）、制御値は閾値（Ａ）に決定され（ステップＳ１０６）、通信ができなくなる旨をユーザに通知する（ステップＳ１０７）。
【００２４】
＜補足＞
以上、本発明に係る携帯電話機について実施の形態を示して説明したが、本発明はこれらの実施の形態に限られないことは勿論である。即ち、
（１）本発明に係る携帯電話機では、ユーザから受け付ける送信電力制御用の閾値の設定は、１ｄＢステップで設定されたが、２ｄＢステップ、４ｄＢステップでもよく、また、単位はｍＷ等でもよい。更に、具体的な送信電力の値に限らず、Ａ、Ｂ、Ｃ等で示されたレベルを閾値としてもよく、絵的に示されるようなレベルを閾値としてもよい。すなわち、送信電力の増減を反映する値であればよい。
【００２５】
図６は絵的に送信電力のレベルを示した、送信電力レベル設定画面である。送信電力レベル４０１は最小送信電力レベルであり、送信電力レベル４０２は標準送信電力レベルであり、送信電力レベル４０３は最大送信電力レベルである。ユーザからボタン操作によりある送信電力レベルが設定された場合、当該送信電力レベルが示す閾値を上限とするように送信電力は制御される。
【００２６】
（２）実施の形態では、通信不能となる恐れがある場合、表示画面若しくは音によりユーザに通知するとしていたが、携帯電話機に備わるバイブレータによりユーザに通知してもよい。
（３）また、携帯電話機の最大送信電力が出力される制御値が決定された場合に、警告画面の表示、若しくは警告音の出力、若しくはバイブレータによる振動でユーザに通知するようにしてもよい。図７は、最大送信電力が出力される場合に表示される警告画面である。
【００２７】
（４）実施の形態では、通信不能となる恐れがある場合、送信電力上限設定をした当携帯電話機ａにおいて通信不能となる恐れがある旨を通知するが、当該携帯電話機ａと通信している相手の携帯電話機ｂに対しても携帯電話機ａが送信電力上限設定をしているために通信不能となる恐れがある旨を通知するようにしてもよい。
【００２８】
この場合、携帯電話機ａは、通信不能となる前の段階で送信電力上限設定をしていることを示す情報を基地局を介して相手携帯電話機ｂに送信する機能を有し、当該情報を受けた相手携帯電話機ｂは、その情報に対応して携帯電話機のディスプレイでの表示、若しくはスピーカからの音、若しくはバイブレータの振動により携帯電話機ａが送信電力上限設定をしているために通信不能となる恐れがある旨を通知する機能を有する。
【００２９】
（５）実施の形態では、待受時においてＲＳＳＩ回路で検出された受信電力値と対応する必要送信電力制御値を記憶部１０９に記憶されている制御値テーブルから特定していたが、演算処理により必要送信電力制御値を算出してもよい。
【００３０】
【発明の効果】
以上の説明から明らかなように、本発明に係る携帯電話機は、制御値の増減を反映して送信電力が増減するように制御する携帯電話機であって、閾値の指定をユーザから受け付ける受付手段と、受け付けられた閾値を記憶する閾値記憶手段と、記憶されている閾値以下となるように前記制御値を決定する決定手段とを備えることを特徴とする。
【００３１】
また、ＣＰＵを備え、制御値の増減を反映して送信電力が増減するように制御する携帯電話機に、送信電力決定処理を行わせる制御プログラムであって、前記送信電力決定処理は、送信電力制御用の閾値の指定をユーザから受け付ける受付ステップと、受け付けられた閾値以下となるように前記制御値を決定する決定ステップとを含むことを特徴とする。
【００３２】
これにより、ユーザは電源を切らなくても、閾値を指定することで携帯電話機から送出される送信電波をできるだけ抑えることができる。
更に、送信電力として消費される電力を抑えることができるので、携帯電話機の一回の充電における使用時間の延長をもたらす。
また、前記携帯電話機は、通話状態において前記制御値を指示する制御値指示情報を基地局から受信する携帯電話機であって、更に、前記制御値指示情報より特定される第１特定制御値と、前記閾値記憶手段に記憶されている閾値とを比較する比較手段を備え、前記比較において、前記第１特定制御値が前記閾値より大きい場合に、通信不能となる恐れがある旨をユーザに通知する通信不能通知手段とを備えることとしてもよい。
【００３３】
通話時において、前記閾値を指定したことにより基地局まで送信電波を到達させるために必要な送信電力が出力されない場合、通信不能となる恐れがある旨をユーザに通知するので、当該通知がなされない間、ユーザは送信電波の強さを抑えた状態で通話をすることができる。また、基地局が通信不能とみなして通信チャンネルを切断したとしても切断された理由がユーザに対して明らかとなる。
【００３４】
また、前記携帯電話機は、更に、受信待受状態において基地局から送信される電磁波を受け付けて、当該電磁波の受信電力値を検出する検出手段と、前記比較手段は、検出された受信電力値より特定される第２特定制御値と、前記閾値記憶手段に記憶されている閾値とを比較し、前記比較において、前記第２特定制御値が前記閾値より大きい場合に、前記通信不能通知手段により通信不能となる恐れがある旨をユーザに通知することとしてもよい。
【００３５】
待受時において、前記閾値を指定したことにより基地局まで送信電波を到達させるために必要な送信電力が出力されない場合、通信不能となる恐れがある旨をユーザに通知するので、当該通知がなされない間、ユーザは送信電波の強さを抑えた状態で待受をすることができる。
また、送信電力が最大となるような制御値が決定された場合に、送信電波が近傍に存在する電子機器に悪影響を及ぼす可能性がある旨をユーザに通知する悪影響通知手段を備えることとしてもよい。
【００３６】
これにより、携帯電話機から最大送信電波が送出されているときがユーザに対して明らかになるので、送信電波を抑えるための対策を講じる目安となる。対策とは、例えば、送信電力制御用の閾値を下げるといったことである。
【図面の簡単な説明】
【図１】本発明に係る携帯電話機の機能ブロック図である。
【図２】送信電力上限設定画面である。
【図３】必要送信電力が閾値により制限されたときに表示される警告画面である。
【図４】送信電力決定処理のフローチャートである。
【図５】受信電力値と必要送信電力制御値の対応を示す制御値テーブルである。
【図６】送信電力レベル設定表示画面である。
【図７】送信電力が最大の時に表示される警告画面である。
【符号の説明】
１００            携帯電話機
１０１            アンテナ部
１０２            送信部
１０３            受信部
１０４            制御部
１０５            送信電力決定部
１０６            ディスプレイ部
１０７            スピーカ部
１０８            インターフェース部
１０９            記憶部
【図１】
0003946066.tif 000002
【図２】
0003946066.tif 000003
【図３】
0003946066.tif 000004
【図４】
0003946066.tif 000005
【図５】
0003946066.tif 000006
【図６】
0003946066.tif 000007
【図７】
0003946066.tif 000008